(57)【要約】【課題】  ユーザが市外局番を認識し易い表示装置及び電話番号表示方法を提供する。【解決手段】  電話番号を表示する際に、表示部１４の第１行目に市外局番（例えば「０６」）を表示し、続く第２行目に市内局番（例えば、「０１２３」）を表示し、更に続く第３行目に加入者番号（例えば、「４５６７」）を表示する。又、携帯電話の電話番号を表示する際には、第１行目に「０９０」や「０８０」を表示し、２行目以降は続く番号を表示する。更に、ＰＨＳの電話番号を表示する際には、第１行目に「０７０」を表示し、２行目以降は続く番号を表示する。【選択図】        図３
2005039504.tif 000002
【特許請求の範囲】
【請求項１】
電話番号を表示可能な表示装置であり、前記表示装置は、市外局番、市内局番と加入者番号から構成される電話番号を表示する際に、１行目に市外局番を表示し、続く２行目以降に、前記市外局番に続く番号を表示することを特徴とする表示装置。
【請求項２】
電話番号を表示可能な表示装置の電話番号表示方法であり、市外局番、市内局番と加入者番号から構成される電話番号を表示する際に、１行目に市外局番を表示し、続く２行目以降に、前記市外局番に続く番号を表示することを特徴とする電話番号表示方法。
【請求項３】
電話番号を表示可能な表示装置であり、前記表示装置は、サービス識別番号を有する電話番号を表示する際に、１行目に前記サービス識別番号を表示し、２行目以降に続く複数桁の番号を表示することを特徴とする表示装置。
【請求項４】
電話番号を表示可能な表示装置の電話番号表示方法であり、サービス識別番号を表示する際に、１行目にサービス識別番号を表示し、２行目以降に続く複数桁の番号を表示することを特徴とする電話番号表示方法。
【発明の詳細な説明】
【技術分野】
【０００１】
本発明は、電話番号を表示可能な表示装置及び電話番号表示方法に関する。
【背景技術】
【０００２】
近年の携帯電話には、通常電話帳機能が付いている。前記電話帳機能では、相手先の電話番号と氏名とを対応付けて複数個電話帳メモリに記憶可能であり、相手先へ発呼を行う際には、前記電話帳メモリに格納されているデータを表示部１４に表示させ、ユーザが所望の相手先を選択することにより、選択された相手先へ発呼を行なうことができる。このように、電話番号を表示する技術が数多く提案されており、例えば、特許文献１には、電話番号を表示する際にハイフンを自動的に挿入し表示する技術が記載されている。この技術を使用すれば、例えば、「０６６１２３４５６７」という電話番号を表示する際には、「０６−６１２３−４５６７」と表示される為、ユーザは市外局番がどこであるかを一目で分かることが可能である。
【特許文献１】特開平１０−２７６２５７号公報（第２〜３頁、図２）
【発明の開示】
【発明が解決しようとする課題】
【０００３】
自動的にハイフンを挿入して表示する技術は、表示する桁数が多い表示装置においては見やすいという効果を奏することが可能であるが、表示する桁数の少ない表示装置においては、かえって見づらくなるという問題がある。例えば、図５に示すように１行につき５文字しか表示できない表示装置に例えば、「０６−６１２３−４５６７」と表示する場合には、１行目に「０６−６１」と表示され、２行目に「２３−４５」と表示され、３行目に「６７」と表示される。近年では高齢化社会に対応すべく、表示部に表示する文字も大きなものにした電話機が製品化される傾向にある為、このような問題はぜひとも解決すべき課題であると言える。
【課題を解決するための手段】
【０００４】
本発明はこのような課題に鑑みなされたものであり、表示する桁数の少ない表示装置で
も電話番号の市外局番を分かり易く表示するものであり、請求項１記載の通信装置は、電話番号を表示可能な表示装置であり、前記表示装置は、市外局番、市内局番と加入者番号から構成される電話番号を表示する際に、１行目に市外局番を表示し、続く２行目以降に、前記市外局番に続く番号を表示することを特徴とする。
【０００５】
請求項２記載の電話番号表示方法は、電話番号を表示可能な表示装置の電話番号表示方法であり、市外局番、市内局番と加入者番号から構成される電話番号を表示する際に、１行目に市外局番を表示し、続く２行目以降に、前記市外局番に続く番号を表示することを特徴とする電話番号表示方法。
【０００６】
請求項３記載の表示装置は、電話番号を表示可能な表示装置であり、前記表示装置は、サービス識別番号を有する電話番号を表示する際に、１行目に前記サービス識別番号を表示し、２行目以降に続く複数桁の番号を表示することを特徴とする。
【０００７】
請求項４記載の電話番号表示方法は、電話番号を表示可能な表示装置の電話番号表示方法であり、サービス識別番号を表示する際に、１行目にサービス識別番号を表示し、２行目以降に続く複数桁の番号を表示することを特徴とする。
【発明の効果】
【０００８】
本願発明は、表示する１行の文字数が少ない表示装置においても、市外局番、市内局番、加入者番号がどこからどこまでであるかをユーザが容易に認識可能とするものである。
【０００９】
又、改行して表示することによりハイフンを挿入する必要がなく、更に、見やすい大きな数字で表示することを可能とする。
【発明を実施するための最良の形態】
【００１０】
図１は、本発明を適用してなる実施例装置である表示装置を搭載した携帯電話装置のブロック図である。
【００１１】
図１において、通信部１は、後述するベースバンド部３からの信号をアンテナ２を介して基地局へ発信したり、アンテナ２を介して基地局からの電波を受信したりする。
【００１２】
ベースバンド部３は、ＣＤＭＡ（Ｃｏｄｅ  Ｄｉｖｉｓｉｏｎ  Ｍｕｉｔｉｐｌｅ  Ａｃｃｅｓｓ）処理回路３１と、音声コーデック処理回路３２とを有する。前記ＣＤＭＡ処理回路３１は、符号分割多元接続、スクランブル、誤り制御、タイミング検出等を行う。前記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
【００１３】
通話に使用されるスピーカ４は、アンプ５で増幅された切替回路１０からの電気信号を音声信号に変換する。通話に使用されるマイクロホン６は、音声信号を電気信号に変換しアンプ７へ出力する。又、アンプ７により増幅された電気信号は、切替回路１０に出力される。更に、スピーカ８は、アンプ９にて増幅された呼び出し音やメロディーを出力する。
【００１４】
切替回路１０は、３つのアンプ５、７、９とベースバンド部３との接続を後述する制御回路１１の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御回路１１の制御によりベースバンド部３の音声コーデック３２が行う。
【００１５】
マイクロプロセッサからなる制御回路１１は、例えばＲＯＭ（Ｒｅａｄ  Ｏｎｌｙ  Ｍｅｍｏｒｙ）からなる第１格納部１２に格納されたシステムプログラムに基づいて、各部を制御する。
【００１６】
第２格納部１３は、例えばＳＲＡＭ（Ｓｔａｔｉｃ  Ｒａｎｄｕｍ  Ａｃｃｅｓｓ  Ｍｅｍｏｒｙ）からなり、電話帳データを格納可能である、即ち、相手側の氏名と、該氏名に対応する電話番号等の個人情報を図２に示すように複数格納可能である。
【００１７】
表示部１４は、電話番号や相手先の氏名等を表示する。  
【００１８】
入力部１５は、通話キー、切キー、テンキー、電源キー、機能キー、メール開始キー等の各種キーからなる。
【００１９】
本実施例装置は、図３に示すように、複数の行夫々に、市外局番、市内局番、加入者番号と分けて表示するものである。その動作について具体的に以下に説明する。
【００２０】
図４は本実施例装置の動作を示すフロー図である。
【００２１】
図４において、Ｓ１ステップでは、制御回路１１は、入力部１５から電話帳の表示指示があると判定するとＳ２ステップへ処理を進める。
【００２２】
Ｓ２ステップでは、制御回路１１は、第２格納部１３に５０音順に記憶されている電話番号の先頭の電話番号を表示する。具体的には、制御回路１１は、第２格納部１３に格納されている電話番号の先頭の電話番号（例えば、図２に示す氏名が相田さんの電話番号）を読み込み、図４に示すように市外局番を表示部１４の１行目に、市内局番を表示部１４の２行目に、加入者番号を表示部１４の３行目に表示させる。この時、制御回路１１は、例えば、相田さんの電話番号の先頭の数文字を読み込み、市外局番（例えば、０６、０３、０８５７等）であるか或いは携帯電話のサービス識別番号（０９０、０８０）であるか或いはＰＨＳ（Ｐｅｒｓｏｎａｌ  Ｈａｎｄｙｐｈｏｎｅ  Ｓｙｓｔｅｍ）のサービス識別番号であるかを判断する。この判断に基づいて、「０６」や「０９０」といった数字のみを表示部１４の１行目に表示させ、続く４桁を２行目に表示させ、更に続く４桁を３行目に表示させるように制御する。
【００２３】
続くＳ３ステップでは、制御回路１１は、入力部１５から次の電話番号を表示するように指示操作があると判定するとＳ４ステップへ処理を進め、そうでなければＳ５ステップへ処理を進める。
【００２４】
Ｓ４ステップでは、制御回路１１は、Ｓ３ステップの指示がある前に表示部１４に表示されていた電話番号に続いて第２格納部１３に格納されている電話番号（例えば、図２に示す氏名が青山さんの電話番号）が表示される。具体的に表示する方法は前記Ｓ２ステップで説明した方法と同様な方法で表示される為、説明は省略する。続いて、制御回路１１は、Ｓ７ステップへ処理を進める。
【００２５】
続くＳ５ステップでは、制御回路１１は、入力部１５から１つ前の電話番号を表示するように指示操作があると判定するとＳ６ステップへ処理を進め、そうでなければＳ７ステップへ処理を進める。続いて、制御回路１１は、Ｓ７ステップへ処理を進める。
【００２６】
Ｓ６ステップでは、制御回路１１は、Ｓ５ステップの指示がある前に表示部１４に表示されていた電話番号の前に第２格納部１３に格納されている電話番号（例えば、図２に示す氏名が相田さんの電話番号）が表示される。具体的に表示する方法は前記Ｓ２ステップで説明した方法と同様な方法で表示される為、説明は省略する。続いて制御回路１１は、Ｓ７ステップへ処理を進める。
【００２７】
Ｓ７ステップでは、制御回路１１は、入力部１５から発呼キー操作があると判定すると、Ｓ８ステップへ処理を進め、そうでなければＳ９ステップへ処理を進める。
【００２８】
Ｓ８ステップでは、制御回路１１は、ベースバンド部３と通信部１を制御することにより、表示部１４に表示されている電話番号を発信し、通話終了後待機状態となる。
【００２９】
Ｓ９ステップでは、制御回路１１は、入力部１５から電話番号の表示終了の操作があると判定すると、処理を終了し、待機状態となる。
【００３０】
このように、本実施例では、第２格納部１３に格納されている電話番号を図３に示すように、１行目に市外局番、２行目に市内局番、３行目に加入者番号と行ごとに分けて表示することが可能である。又、携帯電話の番号を表示する際には、１行目に０９０や０８０といった番号を表示し、続く４桁の番号を２行目、更に続く４桁の番号を３行目に表示することが可能である。更に、ＰＨＳの番号を表示する際には、１行目に０７０といった番号を表示し、続く４桁の番号を２行目、更に続く４桁の番号を３行目に表示することが可能である為、ユーザは１行目に表示されている番号からどこの市外局番であるかを容易に認識することが可能であり、又、携帯電話の番号であるか、ＰＨＳの番号であるかも容易に認識することが可能である。
【００３１】
尚、よりどの市外局番であるかを分かり易くする為に、市外局番と地域の名前を予めメモリに記憶するようにし、電話番号の市外局番部分を読み取り一致する市外局番がメモリに記憶されていれば、一致する市外局番に対応する地域を表示部１４に表示する構成としても良い。そうすることにより、より一層どの地域の電話番号であるかをユーザが認識し易くすることが可能である。
【００３２】
又、市内局番の先頭や加入者番号の先頭にハイフンを付加して電話番号を表示しても良い。このような構成とすることにより、よりユーザはどこからどこまでが、市外局番、市内局番、加入者番号であるかを認識することが可能である。
【００３３】
更に、着信時に相手先から送信される電話番号を表示する際に、本実施例のように図３に示す表示形態で表示させても良い。
【００３４】
更に又、表示部１４に電話番号を表示する際に、第１行目にＶｏＩＰの電話番号であることを示す「０５０」の番号を表示させても良い。
【図面の簡単な説明】
【００３５】
【図１】本発明を適用してなる実施例装置のブロック図である。
【図２】第２格納部に格納するデータの格納形態を示す図である。
【図３】表示部１４への表示形態を示す図である。
【図４】本実施例装置の動作を示すフロー図である。
【図５】従来の表示部への表示形態を示す図である。
【符号の説明】
【００３６】
１１  制御回路
１３  第２格納部
１４  表示部
１５  入力部
【図１】
2005039504.tif 000003
【図２】
2005039504.tif 000004
【図３】
2005039504.tif 000005
【図４】
2005039504.tif 000006
【図５】
2005039504.tif 000007